(57)【要約】【課題】既に電子ペンにより記入された事項が印刷された記入用紙を作成する。【解決手段】受講者は、第１の電子ペンにより解答用紙などの第１の記入用紙に解答などの第１の筆跡データを記入する。端末装置は、受講者が記入した第１の筆跡データを受信し、表示装置に送信する。受講者が記入した第１の筆跡データは、表示装置の表示部に表示され、講師による採点などの対象となる。講師などが第２の電子ペンにより表示部上にコメントなどの第２の筆跡データを記入すると、端末装置はそれを受信する。そして、端末装置は、第１の筆跡データと、第１の記入用紙のコード化パターンを示す第１のパターン情報と、第２の筆跡データとを第１の記入用紙の識別情報に関連付けて記憶する。さらに、講師などにより印刷指示がなされると、プリンタは端末装置から第１の筆跡データと、第２の筆跡データと、第１のパターン情報に対応するコード化パターンとを用紙に印刷して第２の記入用紙を作成する。【選択図】図１
2015095021.tif 000002
【特許請求の範囲】
【請求項１】
コード化パターンが設けられた第１の記入用紙と、端末装置と、電子ペンによる記入が可能な表示部を有する表示装置と、プリンタとを備える印刷システムであって、
前記端末装置は、
第１の電子ペンにより第１の記入用紙に入力された第１の筆跡データを前記第１の電子ペンから受信する第１の受信手段と、
前記第１の筆跡データを前記表示装置に送信する第１の送信手段と、
第２の電子ペンにより前記表示部に入力された第２の筆跡データを前記第２の電子ペンから受信する第２の受信手段と、
前記第１の筆跡データと、前記第１の記入用紙のコード化パターンを示す第１のパターン情報と、前記第２の筆跡データとを前記第１の記入用紙の識別情報に関連付けて記憶する記憶部と、
前記第１の筆跡データと、前記第２の筆跡データと、前記第１のパターン情報とを前記プリンタに送信する第２の送信手段と、を備え、
前記表示装置は、前記端末装置から受信した前記第１の筆跡データを前記表示部に表示し、
前記プリンタは、前記端末装置から受信した前記第１の筆跡データ及び前記第２の筆跡データと、前記端末装置から受信した前記第１のパターン情報に対応するコード化パターンとを用紙に印刷して第２の記入用紙を作成することを特徴とする印刷システム。
【請求項２】
コード化パターンが設けられた第１の記入用紙と、端末装置と、電子ペンによる記入が可能な表示部を有する表示装置と、プリンタとを備える印刷システムであって、
前記端末装置は、
第１の電子ペンにより第１の記入用紙に入力された第１の筆跡データを前記第１の電子ペンから受信する第１の受信手段と、
前記第１の筆跡データを前記表示装置に送信する第１の送信手段と、
第２の電子ペンにより前記表示部に入力された第２の筆跡データを前記第２の電子ペンから受信する第２の受信手段と、
前記第１の筆跡データと、前記第１の記入用紙のコード化パターンを示す第１のパターン情報と、前記第２の筆跡データと、前記第１の記入用紙のコード化パターンとは異なる新規コード化パターンを示す第２のパターン情報とを前記第１の記入用紙の識別情報に関連付けて記憶する記憶部と、
前記第１の筆跡データと、前記第２の筆跡データと、前記第２のパターン情報とを前記プリンタに送信する第２の送信手段と、を備え、
前記表示装置は、前記端末装置から受信した前記第１の筆跡データを前記表示部に表示し、
前記プリンタは、前記端末装置から受信した前記第１の筆跡データ及び前記第２の筆跡データと、前記端末装置から受信した前記第２のパターン情報に対応するコード化パターンとを用紙に印刷して第２の記入用紙を作成することを特徴とする印刷システム。
【請求項３】
コード化パターンが設けられた第１の記入用紙と、端末装置と、電子ペンによる記入が可能な表示部を有する表示装置と、プリンタとを備える印刷システムであって、
前記端末装置は、
第１の電子ペンにより第１の記入用紙に入力された第１の筆跡データを前記第１の電子ペンから受信する第１の受信手段と、
前記第１の筆跡データを前記表示装置に送信する第１の送信手段と、
第２の電子ペンにより前記表示部に入力された第２の筆跡データを前記第２の電子ペンから受信する第２の受信手段と、
前記第１の筆跡データと、前記第１の記入用紙のコード化パターンを示す第１のパターン情報と、前記第２の筆跡データとを前記第１の記入用紙の識別情報に関連付けて記憶する記憶部と、
前記第１の筆跡データと、前記第２の筆跡データとを前記プリンタに送信する第２の送信手段と、を備え、
前記表示装置は、前記端末装置から受信した前記第１の筆跡データを前記表示部に表示し、
前記プリンタは、前記端末装置から受信した前記第１の筆跡データ及び前記第２の筆跡データを、前記第１の記入用紙のコード化パターンとは異なる新規コード化パターンが形成された第２の記入用紙に印刷し、
前記端末装置は、さらに、前記第２の記入用紙を読み取ることにより得られた、前記新規コード化パターンを示す第２のパターン情報を取得し、前記第１の記入用紙の識別情報に関連付けて前記記憶部に記憶することを特徴とする印刷システム。
【請求項４】
コード化パターンが設けられた記入用紙と、端末装置と、電子ペンによる記入が可能な表示部を有する表示装置と、プリンタとを備える印刷システムであって、
前記端末装置は、
第１の電子ペンにより記入用紙に入力された第１の筆跡データを前記第１の電子ペンから受信する第１の受信手段と、
前記第１の筆跡データを前記表示装置に送信する第１の送信手段と、
第２の電子ペンにより前記表示部に入力された第２の筆跡データを前記第２の電子ペンから受信する第２の受信手段と、
前記第１の筆跡データと、前記第２の筆跡データとを前記記入用紙の識別情報に関連付けて記憶する記憶部と、
前記記入用紙の識別情報又は当該記入用紙に形成されたコード化パターンの識別情報を前記プリンタから受信し、前記記憶部を参照して当該識別情報に対応する前記第２の筆跡データを前記プリンタに送信する第２の送信手段と、を備え、
前記表示装置は、前記端末装置から受信した前記第１の筆跡データを前記表示部に表示し、
前記プリンタは、
セットされた記入用紙の識別情報又は当該記入用紙に形成されたコード化パターンの識別情報を取得し、前記端末装置へ送信する送信手段と、
前記端末装置から受信した前記第２の筆跡データを、前記セットされた記入用紙に印刷する印刷手段と、を備えることを特徴とする印刷システム。
【請求項５】
請求項１〜４のいずれか一項に記載の端末装置としてコンピュータを機能させることを特徴とするプログラム。
【発明の詳細な説明】
【技術分野】
【０００１】
本発明は、電子ペンにより記入済みの筆跡が印刷された記入用紙を作成する技術に関する。
【背景技術】
【０００２】
従来から、受講者が使用する電子ペンの筆跡情報を集約して表示するシステムが知られている。例えば、特許文献１には、受講者が電子ペンを用いて用紙に記入する都度、電子ペンが記入情報を生成して講師が使用する集約装置に送信し、集約装置が受信した記入情報に基づく各受講者の筆跡を、ディスプレイやスクリーンに表示するシステムが開示されている。また、本発明に関連する技術が特許文献２に記載されている。
【先行技術文献】
【特許文献】
【０００３】
【特許文献１】特許第５０９９５９５号明細書
【特許文献２】特開２０１１−４８０４２号公報
【発明の概要】
【発明が解決しようとする課題】
【０００４】
特許文献１等に記載のシステムにおいて、受講者が記入した答案を電子黒板などに表示し、講師が電子ペンを使用して採点したり、コメントを追記したりすることがある。しかし、講師が電子黒板を利用して追記した採点、コメントなどはあくまでも電子データであり、受講者が所持する答案用紙には反映されない。このような場合、講師が記入した内容を受講者の答案用紙に反映した上で、受講者がさらにその答案用紙を使用して答案作成を続行できると便利である。本発明は、既に電子ペンにより記入された事項が印刷された記入用紙を作成することが可能な印刷システムを提供することを主な目的とする。
【課題を解決するための手段】
【０００５】
本発明の１つの観点では、コード化パターンが設けられた第１の記入用紙と、端末装置と、電子ペンによる記入が可能な表示部を有する表示装置と、プリンタとを備える印刷システムにおいて、前記端末装置は、第１の電子ペンにより第１の記入用紙に入力された第１の筆跡データを前記第１の電子ペンから受信する第１の受信手段と、前記第１の筆跡データを前記表示装置に送信する第１の送信手段と、第２の電子ペンにより前記表示部に入力された第２の筆跡データを前記第２の電子ペンから受信する第２の受信手段と、前記第１の筆跡データと、前記第１の記入用紙のコード化パターンを示す第１のパターン情報と、前記第２の筆跡データとを前記第１の記入用紙の識別情報に関連付けて記憶する記憶部と、前記第１の筆跡データと、前記第２の筆跡データと、前記第１のパターン情報とを前記プリンタに送信する第２の送信手段と、を備え、前記表示装置は、前記端末装置から受信した前記第１の筆跡データを前記表示部に表示し、前記プリンタは、前記端末装置から受信した前記第１の筆跡データ及び前記第２の筆跡データと、前記端末装置から受信した前記第１のパターン情報に対応するコード化パターンとを用紙に印刷して第２の記入用紙を作成する。
【０００６】
上記の印刷システムは、例えば受講者に対する講師の講義において使用される。受講者は、第１の電子ペンにより、解答用紙などの第１の記入用紙に解答などの第１の筆跡データを記入する。端末装置は、受講者が記入した第１の筆跡データを受信し、表示装置に送信する。受講者が記入した第１の筆跡データは、表示装置の表示部に表示され、講師による採点などの対象となる。講師などが第２の電子ペンにより表示部上にコメントなどの第２の筆跡データを記入すると、端末装置はそれを受信する。そして、端末装置は、第１の筆跡データと、第１の記入用紙のコード化パターンを示す第１のパターン情報と、第２の筆跡データとを第１の記入用紙の識別情報に関連付けて記憶する。そして、講師などにより印刷指示がなされると、プリンタは端末装置から第１の筆跡データと、第２の筆跡データと、第１のパターン情報に対応するコード化パターンとを用紙に印刷して第２の記入用紙を作成する。第２の記入用紙は、受講者による第１の筆跡データと、講師による第２の筆跡データと、コード化パターンとが印刷されているので、受講者はこれを用いてさらに解答などを行うことができる。
【０００７】
本発明の他の観点では、コード化パターンが設けられた第１の記入用紙と、端末装置と、電子ペンによる記入が可能な表示部を有する表示装置と、プリンタとを備える印刷システムにおいて、前記端末装置は、第１の電子ペンにより第１の記入用紙に入力された第１の筆跡データを前記第１の電子ペンから受信する第１の受信手段と、前記第１の筆跡データを前記表示装置に送信する第１の送信手段と、第２の電子ペンにより前記表示部に入力された第２の筆跡データを前記第２の電子ペンから受信する第２の受信手段と、前記第１の筆跡データと、前記第１の記入用紙のコード化パターンを示す第１のパターン情報と、前記第２の筆跡データと、前記第１の記入用紙のコード化パターンとは異なる新規コード化パターンを示す第２のパターン情報とを前記第１の記入用紙の識別情報に関連付けて記憶する記憶部と、前記第１の筆跡データと、前記第２の筆跡データと、前記第２のパターン情報とを前記プリンタに送信する第２の送信手段と、を備え、前記表示装置は、前記端末装置から受信した前記第１の筆跡データを前記表示部に表示し、前記プリンタは、前記端末装置から受信した前記第１の筆跡データ及び前記第２の筆跡データと、前記端末装置から受信した前記第２のパターン情報に対応するコード化パターンとを用紙に印刷して第２の記入用紙を作成する。
【０００８】
上記の印刷システムは、例えば受講者に対する講師の講義において使用される。受講者は、第１の電子ペンにより、解答用紙などの第１の記入用紙に解答などの第１の筆跡データを記入する。端末装置は、受講者が記入した第１の筆跡データを受信し、表示装置に送信する。受講者が記入した第１の筆跡データは、表示装置の表示部に表示され、講師による採点などの対象となる。講師などが第２の電子ペンにより表示部上にコメントなどの第２の筆跡データを記入すると、端末装置はそれを受信する。そして、端末装置は、第１の記入用紙のコード化パターンとは異なる新規コード化パターンを決定し、第１の筆跡データと、第１の記入用紙のコード化パターンを示す第１のパターン情報と、第２の筆跡データと、新規コード化パターンを示す第２のパターン情報とを第１の記入用紙の識別情報に関連付けて記憶する。
【０００９】
講師などにより印刷指示がなされると、プリンタは端末装置から受信した第１の筆跡データと、第２の筆跡データと、第２のパターン情報に対応する新規コード化パターンとを用紙に印刷して第２の記入用紙を作成する。第２の記入用紙は、受講者による第１の筆跡データと、講師による第２の筆跡データと、新規コード化パターンとが印刷されているので、受講者はこれを用いてさらに解答などを行うことができる。また、新規コード化パターンは第１の記入用紙の識別情報に関連付けて記憶されているので、受講者がその後に第２の記入用紙に記入した筆跡データを第１の記入用紙に記入された筆跡データと一体的に管理することができる。
【００１０】
本発明の他の観点では、コード化パターンが設けられた第１の記入用紙と、端末装置と、電子ペンによる記入が可能な表示部を有する表示装置と、プリンタとを備える印刷システムにおいて、前記端末装置は、第１の電子ペンにより第１の記入用紙に入力された第１の筆跡データを前記第１の電子ペンから受信する第１の受信手段と、前記第１の筆跡データを前記表示装置に送信する第１の送信手段と、第２の電子ペンにより前記表示部に入力された第２の筆跡データを前記第２の電子ペンから受信する第２の受信手段と、前記第１の筆跡データと、前記第１の記入用紙のコード化パターンを示す第１のパターン情報と、前記第２の筆跡データとを前記第１の記入用紙の識別情報に関連付けて記憶する記憶部と、前記第１の筆跡データと、前記第２の筆跡データとを前記プリンタに送信する第２の送信手段と、を備え、前記表示装置は、前記端末装置から受信した前記第１の筆跡データを前記表示部に表示し、前記プリンタは、前記端末装置から受信した前記第１の筆跡データ及び前記第２の筆跡データを、前記第１の記入用紙のコード化パターンとは異なる新規コード化パターンが形成された第２の記入用紙に印刷し、前記端末装置は、さらに、前記第２の記入用紙を読み取ることにより得られた、前記新規コード化パターンを示す第２のパターン情報を取得し、前記第１の記入用紙の識別情報に関連付けて前記記憶部に記憶する。
【００１１】
上記の印刷システムは、例えば受講者に対する講師の講義において使用される。受講者は、第１の電子ペンにより、解答用紙などの第１の記入用紙に解答などの第１の筆跡データを記入する。端末装置は、受講者が記入した第１の筆跡データを受信し、表示装置に送信する。受講者が記入した第１の筆跡データは、表示装置の表示部に表示され、講師による採点などの対象となる。講師などが第２の電子ペンにより表示部上にコメントなどの第２の筆跡データを記入すると、端末装置はそれを受信する。そして、端末装置は、第１の筆跡データと、第１の記入用紙のコード化パターンを示す第１のパターン情報と、第２の筆跡データとを第１の記入用紙の識別情報に関連付けて記憶する。
【００１２】
講師などにより印刷指示がなされると、プリンタは端末装置から受信した第１の筆跡データと、第２の筆跡データとを、第１の記入用紙のコード化パターンとは異なる新規コード化パターンが形成された第２の記入用紙に印刷する。第２の記入用紙は、受講者による第１の筆跡データと、講師による第２の筆跡データと、新規コード化パターンとが印刷されているので、受講者はこれを用いてさらに解答などを行うことができる。また、新規コード化パターンは第１の記入用紙の識別情報に関連付けて記憶されているので、受講者がその後に第２の記入用紙に記入した筆跡データを第１の記入用紙に記入された筆跡データと一体的に管理することができる。
【００１３】
本発明の他の観点では、コード化パターンが設けられた記入用紙と、端末装置と、電子ペンによる記入が可能な表示部を有する表示装置と、プリンタとを備える印刷システムにおいて、前記端末装置は、第１の電子ペンにより記入用紙に入力された第１の筆跡データを前記第１の電子ペンから受信する第１の受信手段と、前記第１の筆跡データを前記表示装置に送信する第１の送信手段と、第２の電子ペンにより前記表示部に入力された第２の筆跡データを前記第２の電子ペンから受信する第２の受信手段と、前記第１の筆跡データと、前記第２の筆跡データとを前記記入用紙の識別情報に関連付けて記憶する記憶部と、前記記入用紙の識別情報又は当該記入用紙に形成されたコード化パターンの識別情報を前記プリンタから受信し、前記記憶部を参照して当該識別情報に対応する前記第２の筆跡データを前記プリンタに送信する第２の送信手段と、を備え、前記表示装置は、前記端末装置から受信した前記第１の筆跡データを前記表示部に表示し、前記プリンタは、セットされた記入用紙の識別情報又は当該記入用紙に形成されたコード化パターンの識別情報を取得し、前記端末装置へ送信する送信手段と、前記端末装置から受信した前記第２の筆跡データを、前記セットされた記入用紙に印刷する印刷手段と、を備える。
【００１４】
上記の印刷システムは、例えば受講者に対する講師の講義において使用される。受講者は、第１の電子ペンにより、解答用紙などの第１の記入用紙に解答などの第１の筆跡データを記入する。端末装置は、受講者が記入した第１の筆跡データを受信し、表示装置に送信する。受講者が記入した第１の筆跡データは、表示装置の表示部に表示され、講師による採点などの対象となる。講師などが第２の電子ペンにより表示部上にコメントなどの第２の筆跡データを記入すると、端末装置はそれを受信する。そして、端末装置は、第１の筆跡データと、第１の記入用紙のコード化パターンを示す第１のパターン情報と、第２の筆跡データとを第１の記入用紙の識別情報に関連付けて記憶する。
【００１５】
講師などにより印刷指示がなされると、プリンタは、セットされた記入用紙の識別情報又は当該記入用紙に形成されたコード化パターンの識別情報を取得して前記端末装置へ送信し、端末装置から受信した前記第２の筆跡データを、前記セットされた記入用紙に印刷する。これにより、プリンタから出力された記入用紙は、元の記入用紙に、講師による第２の筆跡データが印刷されたものとなっているので、受講者はこれを用いてさらに解答などを行うことができる。
【００１６】
本発明に係るプログラムは、上記の端末装置としてコンピュータを機能させる。このプログラムをコンピュータにインストールして動作させることにより、本発明に係る印刷システムの端末装置を構成することができる。
【発明の効果】
【００１７】
本発明によれば、受講者の答案に対して講師が追記したコメントなどを反映した記入用紙が作成できるので、受講者は講師のコメントなどが印刷された記入用紙を使用してさらに答案作成を行うことが可能となる。
【図面の簡単な説明】
【００１８】
【図１】第１実施形態に係る表示・印刷システムの構成を示す。
【図２】解答用紙の上面図を示す。
【図３】ドットパターンのドットと、そのドットが変換される値との関係を示す。
【図４】（ａ）は、ドットパターンを模式的に示し、（ｂ）は、それに対応する情報の例を示す図である。
【図５】電子ペンの構造を示す概略図である。
【図６】受講者用端末の機能ブロック図である。
【図７】講師用端末の機能ブロック図である。
【図８】筆跡情報データベースの記憶内容の例を示す。
【図９】第１実施形態による印刷処理のフローチャートである。
【図１０】第２実施形態による印刷処理のフローチャートである。
【図１１】第３実施形態による印刷処理のフローチャートである。
【図１２】第４実施形態に係る表示・印刷システムの構成を示す。
【図１３】第４実施形態による印刷処理のフローチャートである。
【発明を実施するための形態】
【００１９】
以下、図面を参照しながら、本発明を実施するのに好適な実施形態について説明する。
【００２０】
［第１実施形態］
（表示・印刷システムのシステム構成）
図１は、第１実施形態における表示・印刷システムのシステム構成図である。図１に示すように、表示・印刷システムは、各受講者が授業などに使用する電子ペン１（１Ａ、１Ｂ、１Ｃ、…）と、解答用紙（記入用紙）２（２Ａ、２Ｂ、２Ｃ…）と、受講者用端末３（３Ａ、３Ｂ、３Ｃ、…）と、講師が使用する講師用端末４と、受講者用端末３と講師用端末４との間に接続された無線ＬＡＮルータなどの転送装置５と、電子黒板６と、プリンタ７とを備える。
【００２１】
表示・印刷システムは、受講者が電子ペン１により解答用紙２に記入した筆跡を、当該受講者が使用する受講者用端末３に一旦表示した上で、その筆跡を示すデータを講師用端末４に集約させる。また、表示・印刷システムでは、受講者の解答用紙２の画像が電子黒板６に表示され、講師が電子ペン１Ｄを用いて採点、コメントなどを行う。そして、プリンタ７により、受講者の記入した筆跡と、講師により追記された筆跡とが含まれる解答用紙が作成される。
【００２２】
なお、図１の例では、電子ペン１は、記入した情報を、当該電子ペン１が予め登録された各受講者用端末３へＢｌｕｅｔｏｏｔｈ（登録商標）により送信する。また、受講者用端末３と転送装置５とのデータのやりとりは、ＷｉＦｉ（登録商標）により規定されたＴＣＰ／ＩＰを用いた無線通信方式で行われる。
【００２３】
以下、表示システムの各構成要素について説明する。
【００２４】
（１）解答用紙
図２を参照して解答用紙（記入用紙）２について説明する。図２に示すように、受講者ごとに複数枚の解答用紙２が一組用意され、同じ組の解答用紙２には、それぞれ異なる座標範囲のドットパターン（コード化パターン）が印刷される。また、解答用紙２には、マス目が印刷されている。ドットパターンは、赤外線を吸収するカーボンを含んだインキにより印刷され、マス目は、赤外域に吸収性を持たないインキにより印刷される。なお、解答用紙２には、マス目に代えて又はこれに加えて、記入欄や問題や解答欄等が印刷されていても良い。以下、解答用紙２に予め印刷されている問題、記入欄、解答欄などの線図を示すデータを「解答用紙データ」と呼ぶ。
【００２５】
なお、電子ペン１、解答用紙２と受講者（記入者）の対応等については、本実施形態では、図３に示すように、受講者「太郎」が、電子ペン１Ａを用いて解答用紙２Ａに解答し、受講者「次郎」が、電子ペン１Ｂを用いて解答用紙２Ｂに解答し、受講者「三郎」が、電子ペン１Ｃを用いて解答用紙２Ｃに解答するものとする。また、講師が、講師用端末４を操作するとともに、電子黒板６に表示された受講者の解答に対して電子ペン１Ｄを用いて添削、コメントなどを行うものとする。
【００２６】
（２）ドットパターン
次に、図３と図４を参照しながら、解答用紙２に印刷されたアノト方式のドットパターン（コード化パターン）について説明する。図３は、解答用紙２に印刷されたドットパターンのドットと、そのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００２７】
図４（ａ）は、あるドットパターンの配列を示している。図４（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが解答用紙２上のどの位置にあるのか）を保持している。図４（ｂ）は、図４（ａ）に示す各ドットを、格子の基準位置からのシフト方向によって、図４に示す規則性に基づいて、対応づけられた値に変換したものである。この変換は、ドットパターンの画像を撮影する電子ペン１によって行われる。
【００２８】
（３）電子ペン
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各受講者は、電子ペン１のペン先部１０３を、解答用紙２に当接させてストローク（手書きストローク）を記入する。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００２９】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、受講者が電子ペン１により解答用紙２に文字やマークを書いたりタップしたりする際にペン先部１０３からインクカートリッジ１０４を通じて与えられる圧力、即ち筆圧を検出し、その値をプロセッサ１０８へ伝送する。
【００３０】
プロセッサ１０８は、圧力センサ１０７から与えられる筆圧データに基づいて、ＬＥＤ１０５及びＣＭＯＳカメラ１０６のスイッチのオン／オフを切り替える。即ち、受講者が電子ペン１で解答用紙２に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５及びＣＭＯＳカメラ１０６を作動させる。そして、受講者が１つのストロークを記入し終えて電子ペン１を解答用紙２から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として受講者用端末３へ送信する。
【００３１】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙２上のペン先部１０３近傍に向けて赤外線を照明する。その領域は、ペン先部１０３が解答用紙２に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙２に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３２】
プロセッサ１０８は、受講者の記入が行われる間、ＣＭＯＳカメラ１０６によって供給される画像データのドットパターンから、受講者が記入するストローク（筆跡）の解答用紙２上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙２における６×６のドットパターンは、解答用紙２内で重複することはないため、受講者が電子ペン１で文字等を記入すると、記入された位置が解答用紙２のどの位置に当たるかを、プロセッサ１０８による座標演算により特定することができる。
【００３３】
メモリ１０９には、各電子ペン１Ａ〜１Ｃを識別するためのそれぞれのペンＩＤ「ｐｅｎ０１」〜「ｐｅｎ０３」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として受講者用端末３へ送信する。通信ユニット１１１による受講者用端末３への送信は、Ｂｌｕｅｔｏｏｔｈ（登録商標）などの無線送信によって、即時的かつ逐次的に行われる。ここで、電子ペン１のペンダウンからペンアップまでの間に生成されて受講者用端末３に送信された１個又は複数個の座標属性情報は、受講者用端末３によりストローク情報として記憶される。換言すると、１つのストロークは、１個又は複数個のＸ、Ｙ座標（座標点）からなり、受講者用端末３は、ペンダウン情報及びペンアップ情報によって、１つのストロークを構成する１個又は複数個の座標属性情報を認識する。
【００３４】
また、各電子ペン１Ａ〜１Ｃは、ペアリング操作により、各電子ペン１Ａ〜１Ｃの使用者が使用する受講者用端末３Ａ〜３Ｃと認証キーであるパスキーなどの情報交換を予め行っており、Ｂｌｕｅｔｏｏｔｈ通信の通信相手としてその受講者用端末３を認識している。そして、各電子ペン１Ａ〜１Ｃは、受講者が解答用紙２に記入する都度、記入情報を生成して、受講者用端末３へ送信する。言い換えると、各電子ペン１Ａ〜１Ｃは、受講者が解答用紙２に記入し続けている間、記入情報を生成し、受講者用端末３へ送信し続ける。そして、受講者が電子ペン１を解答用紙２から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、受講者用端末３への記入情報の送信を中止する。なお、講師が使用する電子ペン１Ｄも受講者が使用する電子ペン１Ａ〜１Ｃと基本的に同様に構成されている。
【００３５】
（４）受講者用端末
次に、受講者用端末３について説明する。受講者用端末３は、ハードウェアとして、電子ペン１とのデータ通信が可能なアンテナ装置、ＣＰＵ等のプロセッサ、ＲＯＭやＲＡＭといったメモリ、ディスプレイ、タッチパネル等で構成される。なお、本実施形態では、受講者用端末３は、各受講者に配布されるｉＰａｄ（登録商標）などのタブレット型端末であるものとする。
【００３６】
図６は、受講者用端末３の機能ブロック図である。受講者用端末３は、機能的には、タッチパネルなどの入力部３１、通信部３２、記憶部３３、処理部３４、及び表示部３６を備える。通信部３２は、アンテナ受信回路等により構成され、電子ペン１から記入情報を受信したり、講師用端末４と転送装置５を介して所定のデータの授受を行ったりする。表示部３６は、ディスプレイ等によって構成され、処理部３４によって指示された内容を表示する。
【００３７】
処理部３４は、ＣＰＵ等のプロセッサによって構成され、記憶部３３に記憶されたプログラムを実行することで、受講者用端末３の全体の制御を行う。
【００３８】
例えば、処理部３４は、通信部３２の通信制御を行う。具体的には、処理部３４は、通信部３２を介して、ペアリング操作がなされた電子ペン１から送信された記入情報を受信する。また、処理部３４は、電子ペン１から受信した記入情報から生成したストローク情報を、通信部３２により講師用端末４に送信する。
【００３９】
記憶部３３は、ＲＯＭやＲＡＭといったメモリによって構成される。記憶部３３は、解答用紙２の各頁に印刷されたドットパターンが示す座標範囲の情報（「座標定義情報」とも呼ぶ。）を記憶する。また、記憶部３３は、ペアリング操作がなされた電子ペン１のペンＩＤ、講師用端末４の通信アドレス、及び処理部３４が所定の処理を実行するのに必要なプログラム等を予め記憶している。さらに、記憶部３３は、処理部３４の処理命令により、電子ペン１から受信した記入情報を、ストローク情報としてペンＩＤ毎に記憶する。
【００４０】
（５）講師用端末
次に、講師用端末４について説明する。講師用端末４は、ハードウェアとして、電子ペン１とのデータ通信が可能なアンテナ装置、ＣＰＵ等のプロセッサ、ＲＯＭやＲＡＭといったメモリ、ディスプレイ、タッチパネル等で構成される。講師用端末４は、例えばノートＰＣ等である。
【００４１】
図７は、講師用端末４の機能ブロック図である。講師用端末４は、機能的には、マウスやキーボードなどの入力部４１、通信部４２、記憶部４３、処理部４４、及び表示部４６を備える。通信部４２は、アンテナ受信回路等により構成され、受講者用端末３と転送装置５を介して所定のデータの授受を行ったりする。表示部４６は、ディスプレイ等によって構成され、処理部４４によって指示された内容を表示する。
【００４２】
処理部４４は、ＣＰＵ等のプロセッサによって構成され、記憶部４３に記憶されたプログラムを実行することで、講師用端末４の全体の制御を行う。例えば、処理部４４は、通信部４２の通信制御を行う。具体的には、処理部４４は、各受講者用端末３からストローク情報を通信部４２により受信し、記憶部４３に記憶する。また、処理部４４は、各受講者用端末３から受信したストローク情報に基づき、受講者が解答用紙２へ記入した筆跡を表示部４６に表示させる。
【００４３】
記憶部４３は、ＲＯＭやＲＡＭといったメモリによって構成される。記憶部４３は、解答用紙２の各頁に印刷されたドットパターンに関する座標定義情報、処理部４４が所定の処理を実行するのに必要なプログラムなどを記憶する。また、記憶部４３は、各受講者の解答用紙毎に筆跡データを記憶する筆跡データベース（ＤＢ）を有する。図８（ａ）は、筆跡ＤＢの記憶内容の例を示す。
【００４４】
図８（ａ）に示すように、筆跡ＤＢは、各受講者について、受講者ＩＤ、受講者名、解答用紙ＩＤ、解答用紙データ、ドットパターンＩＤ、ドットパターンデータ、受講者の筆跡データ、講師の筆跡データを記憶する。ここで、受講者ＩＤは受講者ごとに付与された識別情報であり、解答用紙ＩＤはその解答用紙の識別情報である。解答用紙データはその解答用紙の線図の部分（解答用紙の問題、解答欄など）のデータである。なお、解答用紙ＩＤは、受講者に配布される解答用紙ごとに付与される識別情報であり、同一の内容（問題や解答欄）が印刷されていても、別の受講者の解答用紙はドットパターンが異なるため、別の解答用紙ＩＤが付与される。また、同じ受講者に配布された解答用紙であっても、異なる内容（問題や解答欄）が印刷されている解答用紙は異なる解答用紙ＩＤが付与される。
【００４５】
ドットパターンＩＤは、解答用紙２に設けられたドットパターンの識別情報であり、例えばドットパターンアドレスが使用される。ドットパターンデータは、図４（ａ）に例示した如きドットパターンのデータである。受講者の筆跡データは、受講者が電子ペン１により解答用紙２に記入した筆跡を示す電子データである。講師の筆跡データは、講師が電子黒板６に表示された解答用紙の画像に対して採点、コメントなどとして追記した筆跡を示す電子データである。なお、筆跡データは、記入されたストローク情報を含む電子データである。また、上記以外に、各受講者に対して別々に電子ペンが割り当てられている場合には、筆跡ＤＢに電子ペンの識別情報であるペンＩＤを記憶してもよい。
【００４６】
なお、通信部４２及び処理部４４は、本発明における「第１の送信手段」、「第２の送信手段」、「第１の受信手段」、「第２の受信手段」の一例であり、記憶部４３は本発明における「記憶部」の一例である。
【００４７】
（６）電子黒板
電子黒板６は、講師用端末４と通信可能であり、講師用端末４から送信された情報を表示部６ａに表示する。具体的には、電子黒板６は、解答用紙データと、受講者の筆跡データとを講師用端末４から受信し、表示部６ａに表示する。これにより、ある受講者の解答用紙が表示部６ａ上で再現される。電子黒板６は、例えば表示部６ａとして液晶表示パネルなどを備え、講師用端末から有線で受信したデータを表示するものであってもよい。その代わりに、電子黒板６は、講師用端末４に接続された図示しないプロジェクタにより出力される画像を投影するスクリーンとして構成してもよい。いずれの場合でも、表示部６ａの表面には、電子黒板６に固有のドットパターンが形成される。
【００４８】
表示部６ａにはドットパターンが形成されているので、講師が電子ペン１Ｄを使用して表示部６ａに記入すると、その記入内容は電子ペン１Ｄにより取得され、講師用端末４へ送信されて保存される。なお、電子黒板６の表示部６ａに形成されているドットパターンは、受講者に配布される解答用紙２に形成されているドットパターンとは異なる。なお、電子黒板６は、本発明における「表示装置」の一例である。
【００４９】
（７）プリンタ
プリンタ７は、有線又は無線通信により講師用端末４と通信可能であり、講師用端末４からの印刷指示に従って、印刷用紙２Ｘに印刷を行う。印刷用紙２Ｘはドットパターンなどが形成されていない白紙の用紙である。プリンタ７は、ドットパターンと、解答用紙データと、受講者の筆跡データと、講師の筆跡データとを白紙の印刷用紙２Ｘに印刷することにより、講師のコメントなどが記入された解答用紙２Ｙを作成することができる。なお、プリンタは、予めドットパターンが形成されている印刷用紙２Ｚに対して、解答用紙データと、受講者の筆跡データと講師の筆跡データとを印刷することもできる。
【００５０】
（印刷処理）
次に、第１実施形態における印刷処理について説明する。図１に示す表示・印刷システムにおいて、受講者の筆跡データが講師用端末４を介して電子黒板６に表示され、講師が電子ペン１Ｄを用いて採点、コメントなどの追記を行うと、講師が追記した内容の筆跡データは講師用端末４へ送られて筆跡ＤＢに記憶される。そして、プリンタ７は、受講者のドットパターンと、解答用紙データと、受講者の筆跡データと、講師の筆跡データとを白紙に印刷して解答用紙を作成する。以下、詳しく説明する。
【００５１】
図９は、第１実施形態における印刷処理のフローチャートである。なお、図９に示す受講者用端末３の処理は、処理部３４が記憶部３３に記憶されたプログラムを実行することにより行われる。また、講師用端末４の処理は、処理部４４が記憶部４３に記憶されたプログラムを実行することにより行われる。
【００５２】
まず、受講者が電子ペン１を用いて解答用紙２に解答を書き込むと、受講者用端末３は記入内容を示す筆跡データ、即ち、受講者の筆跡データを電子ペン１から取得し、転送装置５を介して講師用端末４へ送信する（ステップＳ１１）。
【００５３】
講師用端末４は、受講者用端末３から受講者の筆跡データを受信し、それを図８（ａ）に示すように解答用紙ＩＤと関連付けて筆跡ＤＢに記憶するとともに（ステップＳ１２）、受講者の筆跡データを解答用紙データとともに電子黒板６へ送信する（ステップＳ１３）。
【００５４】
電子黒板６は、講師用端末４から受講者の筆跡データ及び解答用紙データを受信すると、それらを電子黒板６へ表示する（ステップＳ１４）。これにより、電子黒板６には、受講者の解答用紙が再現されて表示される。次に、講師が電子ペン１Ｄを用いて電子黒板６に採点、コメントなどを追記すると、電子ペン１Ｄは講師により記入された内容を示す筆跡データを取得し、講師用端末４へ送信する（ステップＳ１５）。
【００５５】
講師の電子ペン１Ｄから講師の筆跡データを受信すると、講師用端末４は、図８（ａ）に示すように筆跡ＤＢに講師の筆跡データを記憶する（ステップＳ１６）。さらに、講師により印刷指示が入力されると、講師用端末４は、筆跡ＤＢから、解答用紙データと、その解答用紙に対応付けて記憶されているドットパターンデータと、受講者の筆跡データと、講師の筆跡データとを抽出し、プリンタ７へ送信する（ステップＳ１７）。
【００５６】
プリンタ７は、講師用端末４から受信したドットパターンデータと、解答用紙データと、受講者の筆跡データと、講師の筆跡データとを白紙の印刷用紙２Ｘに印刷する（ステップＳ１８）。こうして、プリンタ７は、解答用紙データとドットパターンが印刷され、かつ、受講者の筆跡と講師の筆跡とが印刷された解答用紙２Ｙを作成することができる。受講者は、講師が記入したコメントなどを見ながらこの解答用紙２Ｙに電子ペン１で記入することにより、さらに解答を続けることができる。
【００５７】
第１実施形態によれば、受講者が使用している解答用紙２の解答用紙データと、その解答用紙２に形成されているドットパターンと同じドットパターンと、受講者の筆跡データと、講師の筆跡データとを新たな印刷用紙２Ｘに印刷することにより、講師のコメントなどの筆跡が反映された解答用紙２Ｙを作成することができる。
【００５８】
［第２実施形態］
第１実施形態では、受講者が使用していた解答用紙２と同一のドットパターンを印刷用紙２Ｘに印刷することにより、講師の筆跡が反映された解答用紙２を作成している。これに対して、第２実施形態では、受講者が使用していた解答用紙２とは異なるドットパターン（以下、「新規ドットパターン」と呼ぶ。）を印刷用紙２Ｘに印刷することにより、講師の筆跡が反映された解答用紙２Ｙを作成する。
【００５９】
第２実施形態における表示・印刷システムの構成は、図１に示す第１実施形態における表示・印刷システムと基本的に同様であるので、その説明は省略する。
【００６０】
図１０は、第２実施形態における印刷処理のフローチャートである。なお、図１０に示す受講者用端末３の処理は、処理部３４が記憶部３３に記憶されたプログラムを実行することにより行われる。また、講師用端末４の処理は、処理部４４が記憶部４３に記憶されたプログラムを実行することにより行われる。
【００６１】
図１０におけるステップＳ１１〜Ｓ１６の処理は、図９に示す第１実施形態の印刷処理と同様であるので説明を省略する。ステップＳ１６において、講師の筆跡データを筆跡ＤＢに記憶した後、講師による印刷指示が入力されると、講師用端末４は、新規ドットパターンを決定し、新規ドットパターンを示す新規ドットパターンＩＤ及びドットパターンデータを図８（ｂ）に示すように解答用紙ＩＤと対応付けて筆跡ＤＢに記憶する。なお、講師用端末４は、他のいずれの解答用紙にも使用されていないドットパターンを新規ドットパターンとして決定する。そして、講師用端末４は、解答用紙データと、決定された新規ドットパターンデータと、受講者の筆跡データと、講師の筆跡データとをプリンタ７へ送信する（ステップＳ１７ａ）。
【００６２】
プリンタ７は、受信した新規ドットパターンデータと、解答用紙データと、受講者の筆跡データと、講師の筆跡データとを白紙の印刷用紙２Ｘに印刷する（ステップＳ１８ａ）。こうして作成された解答用紙２Ｙは、受講者の筆跡と講師の筆跡とが反映されたものとなっている。また、解答用紙２Ｙに形成されたドットパターンは、元の解答用紙２に形成されているドットパターンとは異なっているが、図８（ｂ）に示すように、そのドットパターンに対応する新規ドットパターンＩＤが解答用紙ＩＤと対応付けて筆跡ＤＢに記憶されている。よって、その後に解答用紙２Ｙに対して受講者が記入した事項は、追加の筆跡データとして元の解答用紙２と対応付けて筆跡ＤＢに記憶することができる。即ち、新たな解答用紙２Ｙに対する筆跡データを、元の解答用紙２に対する筆跡データと一体的に記憶し、管理することができる。
【００６３】
第２実施形態によれば、受講者が使用している解答用紙２の解答用紙データと、その解答用紙２に形成されているドットパターンと異なる新規ドットパターンと、受講者の筆跡データと、講師の筆跡データとを新たな印刷用紙２Ｘに印刷することにより、講師のコメントなどの筆跡が反映された解答用紙２Ｙを作成することができる。
【００６４】
［第３実施形態］
第２実施形態では、新規ドットパターンを白紙の印刷用紙２Ｘに印刷することにより、講師の筆跡が反映された解答用紙２を作成している。これに対して、第３実施形態では、既に新規ドットパターンが印刷されている印刷用紙２Ｚを使用することにより、講師の筆跡が反映された解答用紙２を作成する。
【００６５】
第３実施形態における表示・印刷システムの構成は、図１に示す第１実施形態における表示・印刷システムと基本的に同様であるので、その説明は省略する。但し、第３実施形態では、図１において、白紙の印刷用紙２Ｘではなく、既にドットパターンが印刷済の印刷用紙２Ｚを使用する。
【００６６】
図１１は、第３実施形態における印刷処理のフローチャートである。なお、図１１に示す受講者用端末３の処理は、処理部３４が記憶部３３に記憶されたプログラムを実行することにより行われる。また、講師用端末４の処理は、処理部４４が記憶部４３に記憶されたプログラムを実行することにより行われる。
【００６７】
図１１におけるステップＳ１１〜Ｓ１６の処理は、図９に示す第１実施形態の印刷処理と同様であるので説明を省略する。ステップＳ１６において、講師の筆跡データを筆跡ＤＢに記憶した後、講師による印刷指示が入力されると、講師用端末４は、解答用紙データと、受講者の筆跡データと、講師の筆跡データとをプリンタ７へ送信する（ステップＳ１７ｂ）。
【００６８】
プリンタ７には、新規ドットパターンが既に印刷されている印刷用紙２Ｚがセットされる。そして、プリンタ７は、講師用端末４から受信した解答用紙データと、受講者の筆跡データと、講師の筆跡データとを印刷用紙２Ｚに印刷する（ステップＳ１８ｂ）。こうして作成された解答用紙２Ｙは、受講者の筆跡と講師の筆跡とが反映されたものとなっている。しかし、解答用紙２Ｙに形成された新規ドットパターンは、元の解答用紙２に形成されているドットパターンとは異なっている。そこで、受講者は、出力された解答用紙２Ｙに対して自己の電子ペン１で記入を行う。受講者の電子ペン１は、解答用紙２Ｙから新規ドットパターンＩＤを取得し、これを受講者用端末３、転送装置５などを介して講師用端末４へ送信する（ステップＳ１９）。
【００６９】
講師用端末４は、図８（ｂ）に示すように、受信した新規ドットパターンＩＤをその解答用紙ＩＤと対応付けて筆跡ＤＢに記憶する。必要に応じて、新規ドットパターンデータも筆跡ＤＢに記憶される。こうして、新たに作成された解答用紙２Ｙは元の解答用紙２と紐付される。これにより、その後に解答用紙２Ｙに対して受講者が記入した事項は、追加の筆跡データとしてその解答用紙２と対応付けて筆跡ＤＢに記憶される。即ち、新たな解答用紙２Ｙに対する筆跡データを、元の解答用紙２に対する筆跡データと一体的に記憶し、管理することができる。
【００７０】
第３実施形態によれば、受講者が使用している解答用紙２の解答用紙データと、受講者の筆跡データと、講師の筆跡データとを、新規ドットパターンが形成されている印刷用紙２Ｚに印刷することにより、講師のコメントなどの筆跡が反映された解答用紙２Ｙを作成することができる。
【００７１】
［第４実施形態］
第１〜第３実施形態では、受講者の筆跡データ及び講師の筆跡データを、元の解答用紙２とは別の印刷用紙２Ｘ又は２Ｚに印刷することにより、講師の筆跡が反映された解答用紙２Ｙを作成している。これに対して、第４実施形態では、受講者が使用していた元の解答用紙２自体に講師の筆跡を印刷する。
【００７２】
図１２は、第４実施形態における表示・印刷システムの構成を示す。第４実施形態における表示・印刷システムの構成は図１に示す第１実施形態における表示・印刷システムと基本的に同様である。但し、プリンタ７ａは、内部にセットされた解答用紙２のドットパターンを読み取る光学的リーダ、カメラなどの読取装置を備える。もしくは、解答用紙２に解答用紙ＩＤがバーコードなどの形態で印刷されている場合には、プリンタ７ａはそのバーコードを読み取るためのバーコードリーダなどの読取装置を備える。また、図１２に示すように、第４実施形態では、プリンタ７ａにセットされる用紙は、受講者が使用していた解答用紙２である点で図１とは相違する。
【００７３】
図１３は、第４実施形態における印刷処理のフローチャートである。なお、図１３に示す受講者用端末３の処理は、処理部３４が記憶部３３に記憶されたプログラムを実行することにより行われる。また、講師用端末４の処理は、処理部４４が記憶部４３に記憶されたプログラムを実行することにより行われる。
【００７４】
図１３におけるステップＳ１１〜Ｓ１６の処理は、図９に示す第１実施形態の印刷処理と同様であるので説明を省略する。ステップＳ１６において講師の筆跡データが筆跡ＤＢに記憶された後、講師又は受講者は、受講者が使用していた解答用紙２をプリンタ７ａにセットする。そして、講師による印刷指示が入力されると、プリンタ７ａは、セットされた解答用紙２のドットパターン又はバーコードなどを読取装置により読み取ってドットパターンＩＤ又は解答用紙ＩＤを取得し、これを講師用端末４へ送信する（ステップＳ１７ｃ）。講師用端末４は、筆跡ＤＢを参照し、受信したドットパターンＩＤ又は解答用紙ＩＤに対応する講師の筆跡データをプリンタ７ａへ送信する（ステップＳ１８ｃ）。プリンタ７ａは、講師用端末４から受信した講師の筆跡データを印刷用紙２に印刷する（ステップＳ１９ｃ）。
【００７５】
こうして出力された解答用紙２は、受講者がもともと使用していた解答用紙そのものであって、その上に講師のコメントなどの筆跡が印刷されたものとなっている。よって、その後に解答用紙２に対して受講者が記入した事項は、追加の筆跡データとしてその解答用紙と対応付けて筆跡ＤＢに記憶される。なお、第４実施形態では、プリンタ７ａは、セットされた解答用紙からドットパターンＩＤ又は解答用紙ＩＤを読み出して対応する講師の筆跡データを印刷するので、講師の筆跡データが筆跡ＤＢに記憶された後であれば、どのタイミングで解答用紙２をプリンタ７ａにセットして印刷指示を行っても、対応する講師の筆跡データをその解答用紙に印刷することができる。
【００７６】
［変形例］
図１、１２に示した構成例では、受講者の電子ペン１が取得した筆跡データが、受講者用端末３を介して講師用端末４に送信されている。その代わりに、受講者の電子ペン１が取得した筆跡データを、受講者用端末を介さずに、受信機などを通じて講師用端末４へ送信する構成としてもよい。
【００７７】
上記の実施形態では、電子黒板６に対して講師が電子ペン１Ｄで追記を行うこととしているが、その代わりに、他の受講者などが追記を行うこととしてもよい。また、上記の実施形態では、解答用紙に問題、解答欄などが設けられているため、筆跡データとともに解答用紙データをプリンタ７、７ａに送信して印刷しているが、問題、解答欄などが印刷されていない無地の解答用紙を使用する場合には、解答用紙データは存在せず、プリンタ７、７ａにより印刷されることもない。
【００７８】
上記実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【符号の説明】
【００７９】
１、１Ａ〜１Ｄ…電子ペン
２、２Ａ〜２Ｃ…解答用紙
３、３Ａ〜３Ｃ…受講者用端末
４…講師用端末
５…転送装置
６…電子黒板
７、７ａ…プリンタ
【図１】
2015095021.tif 000003
【図２】
2015095021.tif 000004
【図３】
2015095021.tif 000005
【図４】
2015095021.tif 000006
【図５】
2015095021.tif 000007
【図６】
2015095021.tif 000008
【図７】
2015095021.tif 000009
【図８】
2015095021.tif 000010
【図９】
2015095021.tif 000011
【図１０】
2015095021.tif 000012
【図１１】
2015095021.tif 000013
【図１２】
2015095021.tif 000014
【図１３】
2015095021.tif 000015